(57)【要約】【課題】高齢や障害により足腰が不自由になった人がテーブル、座卓テーブルまたはコタツを使用したい場合に、椅子、座椅子または座布団に座る時、またテーブル、座卓テーブルまたはコタツから立ち去る時にテーブル、座卓テーブルまたはコタツを無理な力を必要とせず、容易に前後に移動させることで座位しているその場所でテーブルに着いたり、テーブルから立ち去る時の動作が容易にできるテーブル脚受け部材付き移動テーブルを提供する。【解決手段】テーブル本体（１）の脚（２）の下部の所要位置に脚受け部材（３）を設け、脚受け部材（３）受ける脚受け部材台（４）との構成から成るテーブル脚受け部材付き移動テーブルであり、脚（２）に取り付ける脚受け部材（３）は、取り外しができる機構の構造として設けるか、またはテーブル本体（１）の脚（２）に一体型として脚受け部材（３）を設けた構造と、それを受ける脚受け部材台（４）との構成から成るテーブル脚受け部材付き移動テーブルである。【選択図】  図１
2004337186.tif 000002
【特許請求の範囲】
【請求項１】
テーブル本体（１）の脚（２）の下部所要位置に脚受け部材（３）を設けた機構の構造物と、
それを受ける脚受け部材台（４）と、の構成から成るテーブル脚受け部材付き移動テーブル。
【請求項２】
請求項１の脚（２）に取り付ける脚受け部材（３）は、取り外しができる機構を有する構造物として設けるか、またはテーブルの脚（２）に一体型として脚受け部材（３）を設けた機構の構造物と、
それを受ける脚受け部材台（４）と、の構成から成るテーブル脚受け部材付き移動テーブル。
【発明の詳細な説明】
【０００１】
【発明の属する技術分野】
この発明は、テーブルまたは、コタツを前後の所要位置に容易に移動させる機構を持たせたテーブル脚受け部材付き移動テーブルに関するものである。
【０００２】
【従来の技術】
従来、高齢により足腰が弱くなり、また障害により足腰が不自由なった人が、一般的に利用する食卓テーブルや高さの低い座卓テーブルあるいはコタツを利用する場合、椅子、座椅子または座布団をテーブルを利用し易い位置に置いてから座り、その後にテーブルを使用し易い位置まで移動させるか、または椅子や座布団に座った状態でテーブルを利用し易い位置まで移動しなければならなかった。足腰の不自由な人は、このような動作をしてテーブルに着くのが非常に困難であった。また、テーブルから立ち去る時にも、椅子またはテーブルが障害になって、座位している場所での立ち上がりの動作ができない為、テーブルを座っている位置より前に移動してから立ち上がるか、または椅子や座布団に座った状態でテーブルより後方に移動してから立ち上がらなければならなかった。このような動作を足腰が不自由な人自身が行うことは非常に困難であった。また自力でテーブルに着くのが困難である人の場合、介護する人がテーブルを前もって前方に移動させてから、不自由な人を椅子に座らせた後に、テーブルを使用し易い位置に移動させるか、または椅子をテーブルの後方に移動させてから椅子に座らせ、座った状態で椅子をテーブルの利用し易い位置まで移動させなければならなかった。テーブルは一般的に重く、また椅子に座った状態の人を移動させることは非常に困難であった。また、高齢者の人口が増加の一途をたどっている現在、高齢者夫婦のみで生活をしている場合、片方の人が足腰の障害がある場合においては、介護する側も腕力、体力が弱っているために足腰の障害のある人をテーブルに着かせるには非常に困難であった。
【０００３】
【発明が解決しようとする課題】
そのために、次のような欠点があった。
（イ）  足腰の不自由な人や高齢で腕力、体力のない人が椅子、または座椅子に座ってテーブルを使用する際、椅子に座ってからテーブルを使用し易い位置まで引いて使用するか、または椅子に座った状態で、テーブルを使用しやすい位置まで移動しなければならなかった。またテーブルから立ち去る時には、椅子やテーブルが障害となり、その場での立ち上がりの動作できないために、足腰の不自由な人や高齢で腕力、体力のない人がテーブルを使用する際の動作が困難であった。
（ロ）  テーブルの高さの低い座卓テーブルまたはコタツを使用する場合、座椅子または座布団に座ったり、立ち上がったりする際には、テーブルやコタツが障害となるため、テーブルまたはコタツを前もって座位する位置の前方に移動してから座ったり、立ち上がったりの動作をするか、または座椅子または座布団をテーブルやコタツの後方に置いて座り、座った状態でテーブルやコタツを使用し易い位置まで移動したり、またテーブルやコタツから去る時には、座った状態でテーブルやコタツの後方に移動してから立ち上がらなければならなかった。
（ハ）  食事などを含め、日常生活の場面においてテーブルを利用する機会は頻繁にある。高齢で足腰の不自由な人や障害により足腰が不自由になった人が、重いテーブルを椅子の位置より前方に移動させた後に椅子に座り、テーブルを引いて使用するか、またはテーブルより後方に置いた椅子に座り、座った状態でテーブルを利用し易い位置まで移動しなければならなかった。また高齢者夫婦だけで生活をしている場合、片方に足腰の障害があり介護を要する人がテーブルを使用したい場合、介護をする側の人がテーブルを移動させてから、障害のある人を椅子に座らせた後にテーブルを使用し易い位置まで移動させたり、または椅子に座らせた状態で介護をする側の人が椅子を移動してテーブルを利用し易い位置まで移動させなければならなかったので大変な苦労があった。
本発明は、これらの欠点を解決するためになされたものである。
【０００４】
【課題を解決するための手段】
テーブル本体（１）の脚（２）の下部の所要位置に脚受け部材（３）を設けた機構の構造物と、それを受ける脚受け部材台（４）との構成から成る。
また、テーブル本体（１）の脚（２）に取り付ける脚受け部材（３）は、容易に取り外しができる機構の構造物として設けるか、またはテーブル本体（１）の脚（２）に一体型として脚受け部材（３）を設けた機構の構造物と、それを受ける脚受け部材台（４）との構成から成る。
本発明は、以上の構成からなるテーブル脚受け部材付き移動テーブルである。
【０００５】
【発明の実施の形態】
以下、本発明の実施の形態について説明する。
本発明は、図１、図２、図３、図４、図５、図６、図７、図８に示されるように（イ）テーブル本体（１）の脚（２）の４ヶ所の先端部の所要位置に脚受け部材（３）を設ける。
（ロ）脚受け部材（３）は、脚（２）が挿着させられるように、脚（２）の形状に合った脚受け凹部（７）を設ける。
（ハ）脚（２）と脚受け部材（３）を定着させるためのねじ部（６）を設け、脚受け部材（３）の所要位置に雌ねじ部（８）を設ける。
（ニ）脚受け部材（３）の雌ねじ部に合う雄ねじ部（９）を設け、雄ねじの先端部は、脚（２）と脚受け部材（３）が固着できるようにゴム、シリコンまたは金属等の材質で作られた脚圧着部材（１１）を設ける。
（ホ）脚受け部材（３）を受ける脚受け部材台（４）を設け、脚受け部材台（４）は脚受け部材（３）の先端部の形状及び傾斜に沿った溝（５）を設ける。
（ヘ）脚受け部材台（４）はテーブルに着く時、またテーブルから立ち去る時に障害にならない所要の長さで設け、溝（５）の長さは脚受け部材台（４）の長さよりも短く、溝（５）は脚受け部材（３）の先端部の形状に沿った傾斜を設ける。脚受け部材台（４）の高さは、テーブルに着く時に障害にならない任意の高さに設ける。
本発明は以上のような構造でこれを使用するときは、テーブル本体（１）の４ヶ所の脚（２）に脚受け部材（３）を挿着し、脚受け部材（３）の雌ねじ部（８）に雄ねじ部（９）をはめ込んで固着させる。脚受け部材台（４）を脚（２）の４ヶ所の所要位置に置き、脚（２）に脚受け部材（３）を固着した物を、脚受け部材台（４）の溝（５）に置く。テーブル本体（１）を押したり、引いたりすると脚受け部材（３）が脚受け部材台（４）の溝（５）に沿って滑って動くことにより、テーブル本体（１）が前後に移動する。座位する位置は、テーブル本体（１）が前後に移動する側の２箇所のうちのどちらかになる。脚受け部材台（４）は、取り外しができ、設置する方向によりテーブル本体（１）の動く方向も同じとなる。なお、本発明は、実施の形態を説明したが、脚受け部材台とその溝を十字型の形状にして設けると、前後と左右へのテーブルの移動も適用できる。
【０００６】
【実施例１】脚受け部材の下部が凹凸とそれを受ける脚受け部材台の溝が脚受け部材の凹凸の形状に沿った構造を設けた物の組み合わせ
図９の部分斜視図及び図１０の部分断面図に示されるように、脚（２）を受ける脚受け部材（３）の上部には、脚（２）を受ける凹部を設け、脚受け部材（３）の下部は凹凸を設ける。脚受け部材台（４）は、脚受け部材（３）の凹凸の形状に沿った溝（５）を設ける。脚受け部材（３）の下部の凹凸とそれを受ける脚受け部材台（４）の溝（５）の凹凸は、材、金属、鉄金属または金の材質を使用して摩擦抵抗性の小さい組み合わせにする。この発明を使用するときは、テーブル本体（１）の脚（２）を脚受け部材（３）の凹部に挿着し、ねじ部（６）で固着した脚受け部材（３）を脚受け部材台（４）の溝（５）に置く。テーブル本体（１）を脚受け部材台（４）を設置した方向に押したり、引いたりすると脚受け部材（３）が脚受け部材台（４）に沿って滑って動くことにより、テーブル本体（１）が前後に移動する。テーブル本体（１）の動きは、レールの上を滑って動くような動きと同様となる。また、必要に応じて脚受け部材台（４）にストッパー（１３）を設け、ストッパー止めねじ部（１４）で固着する。以上のような構造と機能を設けたものである。
【０００７】
【実施例２】脚受け部材の下部が玉軸受け部材と玉軸受け用鋼球を納置した構造と脚受け部材台が玉軸受け用鋼球の傾斜に沿った形状の溝を有する構造とを組み合わせた構成
図１１の部分斜視図及び図１２の部分断面図に示されるように、脚受け部材（３）の上部に脚（２）を受ける脚受け凹部を設け、脚受け部材（３）の下部に玉軸受け用鋼球（１２）を受ける構造を設ける。脚受け部材台（４）は、玉軸受け用鋼球（１２）の球の形状に沿った溝（５）を設ける。脚受け部材（３）は、玉軸受け用鋼球（１２）の半分以上が納置できる構造を設ける。脚受け部材台（４）の溝（５）の深さは、玉軸受け用鋼球（１２）の半分以下を設ける。この発明を使用するときは、テーブル本体（１）の脚（２）を脚受け部材（３）の上部の凹部に挿着する。ねじ部（６）で脚（２）を固着させた脚受け部材（３）を脚受け部材台（４）の溝（５）に置き、テーブル本体（１）を脚受け部材台（４）を設置した方向に押したり、引いたりすると玉軸受け用鋼球（１２）が回転しながら溝（５）を動くことで、テーブル本体（１）が移動する。また、必要に応じて脚受け部材台（４）にストッパー（１３）を設け、ストッパー止めねじ部（１４）で固着できるように設ける。以上のような構造と機能を設けたものである。
【０００８】
【発明の効果】
本発明は、足腰の不自由な人が一般的に使用されているテーブル、または座卓テーブルを利用する際、テーブルを容易に前後へ移動させることにより、椅子に座ったり、椅子から立ち上がったりする動作が容易にできる。また座卓テーブルやコタツなどの低いテーブルを利用する場合においても、座椅子または座布団などに座る前に、テーブルを座る位置から前のほうへ移動させておき、座位してからテーブルを所要位置まで引くことにより、容易にテーブルを利用することができる。また、座位から立ち上がる場合には、テーブルまたはコタツを前方へ移動させ、その座位していた場所で立ち上がることができる。食事などを含め、日常生活の場面においてテーブルを使用する機会は頻繁にあり、高齢または障害により足腰が不自由になった人がテーブルに容易に着くことが可能となる。
【図面の簡単な説明】
【図１】本発明の斜視図である。
【図２】本発明の正面図である。
【図３】本発明の図２のＡ−Ａ線に沿う部分拡大断面図である。
【図４】本発明の脚受け部材の部分拡大斜投影図である。
【図５】本発明の図４のＢ−Ｂ線に沿う部分拡大断面図である。
【図６】本発明の雄ねじ部の部分拡大斜視図である。
【図７】本発明の雄ねじ頭部の部分拡大正面図である。
【図８】本発明の脚受け部材台の部分拡大平面図である。
【図９】本発明の実施例１の脚、脚受け部材及び脚受け部材台の部分拡大斜視図である。
【図１０】本発明の実施例１の図９のＣ−Ｃ線に沿う部分拡大断面図である。
【図１１】本発明の実施例２の脚、脚受け部材、玉軸受け用鋼球、脚受け部材台の部分拡大斜視図である。
【図１２】本発明の実施例２の図１１のＤ−Ｄ線に沿う部分拡大断面図である。
【符号の説明】
（１）  テーブル本体
（２）  脚
（３）  脚受け部材
（４）  脚受け部材台
（５）  溝
（６）  ねじ部
（７）  脚受け凹部
（８）  雌ねじ部
（９）  雄ねじ部
（１０）雄ねじ頭
（１１）脚圧着部材
（１２）玉軸受け用鋼球
（１３）ストッパー
（１４）ストッパー止めねじ部
【図１】
2004337186.tif 000003
【図２】
2004337186.tif 000004
【図３】
2004337186.tif 000005
【図４】
2004337186.tif 000006
【図５】
2004337186.tif 000007
【図６】
2004337186.tif 000008
【図７】
2004337186.tif 000009
【図８】
2004337186.tif 000010
【図９】
2004337186.tif 000011
【図１０】
2004337186.tif 000012
【図１１】
2004337186.tif 000013
【図１２】
2004337186.tif 000014